(57)【要約】【課題】容器の安定的な保持と美観の向上とごみの溜まりにくさの向上とを実現しながら容器に容易に把持させる。【解決手段】カップホルダ１０は台座１２と複数の保持爪１３と連動機構１４とを有する。台座１２は座面ｓｆを有する。座面ｓｆは第１の方向を向く。台座１２は第１の方向における第１の位置と第２の位置との間で変位可能である。複数の保持爪１３を第１の方向から見た台座１２の周囲に分散するように設ける。複数の保持爪１３は第１の方向に沿って変位可能である。複数の保持爪１３の第１の方向側の端部同士の間の少なくとも一部が開放されている。連動機構１４は台座１２の第２の位置への変位に連動して複数の保持爪１３を第１の方向に変位させる。【選択図】図１
2019018640.tif 000002
【特許請求の範囲】
【請求項１】
第１の方向を向く座面を有し、前記第１の方向における第１の位置と該第１の位置より前記第１の方向の反対方向側の第２の位置との間で変位可能な台座と、
前記第１の方向から見た前記台座の周囲に分散するように設けられ、前記第１の方向に沿って変位可能であり、前記第１の方向側の端部同士の間の少なくとも一部が開放されている複数の保持爪と、
前記台座の前記第２の位置への変位に連動して、前記複数の保持爪が前記座面よりも前記第１の方向に突出するように、前記複数の保持爪を前記第１の方向に変位させる連動機構と、を備える
カップホルダ。
【請求項２】
請求項１に記載のカップホルダにおいて、
前記第１の方向を鉛直上方に向けた状態で、前記台座を前記第１の方向の反対方向に押圧する力が第１の閾値以下である場合に、前記台座は前記第１の位置に位置する
カップホルダ。
【請求項３】
請求項１または２に記載のカップホルダにおいて、
前記第１の方向を鉛直上方に向けた状態で、前記座面を前記第１の方向の反対方向に押圧する力が第２の閾値を超える場合に、前記台座は前記第２の位置に位置する
カップホルダ。
【請求項４】
請求項１から３のいずれか１項に記載のカップホルダにおいて、
前記台座が前記第１の位置にある時、前記座面は前記カップホルダを設ける基台の上面と同一面上に存在する
カップホルダ。
【請求項５】
請求項１から４のいずれか１項に記載のカップホルダにおいて、
前記台座が前記第１の位置にある時、前記保持爪の前記第１の方向側の端面は前記座面と同一面上に存在する
カップホルダ。
【請求項６】
請求項１から５のいずれか１項に記載のカップホルダにおいて、
前記台座を前記第１の方向に変位させるように、前記台座または前記複数の保持爪に弾性力を付与する弾性体を、さらに備える
カップホルダ。
【請求項７】
請求項１から６のいずれか１項に記載のカップホルダにおいて、
前記台座の前記第１の位置から前記第２の位置への変位中の速度を減衰させるダンパを、さらに備える
カップホルダ。
【請求項８】
請求項１から７のいずれか１項に記載のカップホルダにおいて、
前記連動機構は、前記第１の方向に沿って前記台座に延在する台座ラックと、前記台座ラックに対向するように前記第１の方向に沿って前記複数の保持爪に延在する爪ラックと、前記台座ラックおよび前記爪ラックの間に設けられるピニオンとを有する
カップホルダ。
【発明の詳細な説明】
【技術分野】
【０００１】
本発明は、カップホルダに関するものである。
【背景技術】
【０００２】
従来、車両内のセンターコンソールなどに凹設した陥凹状のカップホルダが知られている（特許文献１参照）。このようなカップホルダは、美観を損ね得、また、陥凹部にごみなどが溜まり易い。そこで、不使用時には、センターコンソールなどの平面パネルと同一高さとなる昇降式カップホルダが提案されている（特許文献２参照）。
【先行技術文献】
【特許文献】
【０００３】
【特許文献１】特開２０１１−１１１０７２号公報
【特許文献２】実開昭６３−９４０４９号公報
【発明の概要】
【発明が解決しようとする課題】
【０００４】
しかし、特許文献１および特許文献２に開示されたカップホルダでは、車両の加速および振動に対して容器を安定的に保持するため、カップホルダの下端から上端までの間隔をある程度以上となるように形成する必要がある。しかし、このような構成のカップホルダでは、容器の上端部のみがカップホルダの上端から露出する場合、搭乗者が容器を掴み辛い。
【０００５】
かかる事情に鑑みてなされた本発明の目的は、容器を安定的に保持し、美観を向上し、且つごみを溜まりにくくしながら、容器を容易に把持させ得るカップホルダを提供することにある。
【課題を解決するための手段】
【０００６】
上記課題を解決するために本発明の第１の観点に係るカップホルダは、
第１の方向を向く座面を有し、前記第１の方向における第１の位置と該第１の位置より前記第１の方向の反対方向側の第２の位置との間で変位可能な台座と、
前記第１の方向から見た前記台座の周囲に分散するように設けられ、前記第１の方向に沿って変位可能であり、前記第１の方向側の端部同士の間の少なくとも一部が開放されている複数の保持爪と、
前記台座の前記第２の位置への変位に連動して、前記複数の保持爪が前記座面よりも前記第１の方向に突出するように、前記複数の保持爪を前記第１の方向に変位させる連動機構と、を備える。
【発明の効果】
【０００７】
本発明によれば、容器を安定的に保持し、美観を向上し、且つごみを溜まりにくくしながら、容器を掴み易くさせるカップホルダを提供可能である。
【図面の簡単な説明】
【０００８】
【図１】本発明の一実施形態に係るカップホルダにおいて台座が第１の位置にある状態の概略構成を示す模式図である。
【図２】第１の方向から見た、図１の座部の周囲における複数の保持爪の配置図である。
【図３】第１の方向から見た、変形例における図１の座部の周囲における複数の保持爪の配置図である。
【図４】図１の複数の保持爪の変形例を、座部の側面の一部を切開いて示す展開図である。
【図５】第１の方向の反対方向から見た、図１の連動機構の構成図である。
【図６】第１の方向の反対方向から見た、変形例における図１の連動機構の構成図である。
【図７】図６の複数の保持爪の側面図である。
【図８】図１のカップホルダにおいて、台座が第２の位置にある状態の概略構成を示す模式図である。
【発明を実施するための形態】
【０００９】
以下、本発明を適用したカップホルダの実施形態について、図面を参照して説明する。
【００１０】
図１に示すように、本発明の一実施形態に係るカップホルダ１０は、車両のセンターコンソールの上部などの基台１１内に設けられている。カップホルダ１０は、台座１２、複数の保持爪１３、連動機構１４、弾性体１５、およびダンパ１６を含む。
【００１１】
台座１２が、水平面に載置された車両内において、第１の方向における第１の位置と第２の位置との間で変位可能となるように、カップホルダ１０は、基台１１に設けられている。第１の方向は、例えば、鉛直上方に向けるように設計されている方向である。第１の位置は、台座１２が第１の位置にある場合、後述する座面ｓｆを基台１１の上面ｔｆと同一面に存在させる位置である。第２の位置は、第１の位置よりも第１の方向の反対方向に最も変位可能な位置である。
【００１２】
台座１２は、座部１７および軸部１８を有する。座部１７は、後述する座面ｓｆの反対側において軸部１８と連結している。座部１７および軸部１８は、別部品の結合によって形成されても、一体的に形成されていてもよい。
【００１３】
座部１７は、第１の方向を向く座面ｓｆを有する。座面ｓｆは、例えば平面または第1の方向の反対方向に緩やかに陥凹した曲面である。座面ｓｆは、カップホルダ１０への載置が想定される最大の容器の長手方向に垂直な断面より少し大きく形成される。本実施形態において、座面ｓｆは、平面である。座面ｓｆを有する座部１７は、本実施形態において、円板状である。本実施形態における円板状の座部１７の一方の面が座面ｓｆを構成する。また、円板状の座部１７の他方の面の中心近傍において、座部１７は軸部１８と連結している。
【００１４】
軸部１８は、座部１７から第１の方向の反対方向に向かって延在する。
【００１５】
図２に示すように、複数の保持爪１３はそれぞれ、第１の方向から見た台座１２の周囲に分散するように、設けられている。本実施形態において、複数の保持爪１３は、３つである。なお、複数の保持爪１３は、図３に示すように２つであってもよく、または４つ以上であってもよい。なお、保持爪１３が２つである構成においては、少なくとも一方の保持爪１３は、第１の方向から見て、台座１２を収容する陥凹状であることが好ましい。
【００１６】
図２に示すように、複数の保持爪１３は、第１の方向から見て、座面ｓｆの中心ｃが複数の保持爪１３の中心を頂点とする多角形ｐｇの内部に位置するように、配設されている。また、図３に示すように、複数の保持爪１３は、第１の方向から見て、座面ｓｆの中心ｃが複数の保持爪１３の中心を結ぶ線分ｌｓの近傍に位置するように、配設されている。なお、複数の保持爪１３の間隔は、第１の方向に垂直な方向から搭乗者が容器を掴む際に拇指を挿入させ得る長さであり、例えば、３ｃｍ以上である。 
【００１７】
図１に示すように、複数の保持爪１３は、第１の方向に沿って変位可能となるように、基台１１内に支持されている。また、複数の保持爪１３の、第１の方向側の端部同士の間の少なくとも一部が開放されている。言換えると、複数の保持爪１３の第１の方向側の端部同士は、連結されていない。
【００１８】
なお、図４に示すように、複数の保持爪１３の第１の方向側の端部同士が連結されていない限り、複数の保持爪１３それぞれの第１の方向側の端部に、隣接する保持爪１３の端部に向かって延びる延設部１９を有していてよい。なお、隣接する保持爪１３の延設部１９同士の間隔は、第１の方向に垂直な方向から搭乗者が容器を掴む際に拇指を挿入させ得る長さであり、例えば、３ｃｍ以上である。
【００１９】
後述するように、複数の保持爪１３は、台座１２に連動して第１の方向に沿って変位する。図１に示すように、複数の保持爪１３それぞれの第１の方向側の端面ｅｆは、台座１２が第１の位置にある場合、座面ｓｆと同一面上に存在する。
【００２０】
連動機構１４は、台座１２の第１の方向に沿った変位に連動して、複数の保持爪１３を台座１２の変位方向とは反対方向に変位させる。さらには、連動機構１４は、第１の位置から第２の位置への台座１２の変位に連動して、複数の保持爪１３が座面ｓｓよりも第１の方向に突出するように、複数の保持爪１３を第１の方向に変位させる。
【００２１】
連動機構１４は、例えば、ラック・ピニオン機構である。ラック・ピニオン機構である連動機構１４は、台座ラック２０、爪ラック２１、およびピニオン２２を有する。
【００２２】
台座ラック２０は、台座１２の軸部１８において第１の方向に沿って延在する。
【００２３】
爪ラック２１は、台座ラック２０に対向するように配置されている。図１に示すように、爪ラック２１は、複数の保持爪１３に対して第１の方向に沿って延在する。なお、本実施形態においては、図５に示すように、複数の保持爪１３それぞれに、爪ラック２１が設けられている。または、図６、７に示すように、複数の保持爪１３を連結する連結筒２３が連結筒２３の内周面に、保持爪１３に対して第１の方向に沿って延在する爪ラック２１を有してもよい。このような連結筒２３を有する構成においては、爪ラック２１の数は保持爪１３の数よりも少なくてもよい。
【００２４】
図１においてピニオン２２は、台座ラック２０および爪ラック２１の間に設けられている。ピニオン２２は、第１の方向に変位不能に軸支されている。ピニオン２２は、台座ラック２０および爪ラック２１に螺合している。
【００２５】
弾性体１５は、例えばばねであり、台座１２を第１の方向に変位させるように、台座１２または複数の保持爪１３に弾性力を付与する。本実施形態において、弾性体１５は、台座１２よりも第１の方向の反対方向側に設けられ、第１の方向に沿った弾性力を台座１２に直接付与する。なお、弾性体１５は、複数の保持爪１３に弾性力を付与することにより、連動機構１４を介して台座１２に弾性力を付与してもよい。
【００２６】
なお、第１の方向を鉛直上方に向けた状態で、台座１２には、台座１２の重力が第１の方向の反対方向に、および連動機構１４を介して複数の保持爪１３の重力と同じ大きさの力が第１の方向に、少なくとも付与されている。
【００２７】
弾性体１５のサイズおよび弾性は、第１の方向を鉛直上方に向けた状態で第１の方向の反対方向に台座１２をさらに押圧する力が第１の閾値以下である場合に、台座１２を第１の位置に位置させる力を台座１２に付与するように定められている。第１の閾値は、例えば、カップホルダ１０に載置されることが想定される最軽量の空の容器にかかる重力の値未満である。
【００２８】
また、弾性体１５のサイズおよび弾性は、第１の方向を鉛直上方に向けた状態で第１の方向の反対方向に台座１２をさらに押圧する力が第２の閾値を超える場合に、台座１２を第２の位置に位置させる力を台座１２に付与するように定められている。第２の閾値は、例えば、カップホルダ１０に載置されることが想定される最軽量の容器にかかる重力の値未満である。第２の閾値は、第１の閾値以上であって、第１の閾値と同じ値であってもよい。
【００２９】
ダンパ１６は、台座１２の第１の位置から第２の位置への変位中の速度を減衰させる。
【００３０】
以上のような本実施形態に係るカップホルダ１０では、複数の保持爪１３の第１の方向側の端部同士の間の少なくとも一部が開放されている。このような構成により、図８に示すように、カップホルダ１０は、複数の保持爪１３の間において容器２４の側面を露出させ得る。したがって、カップホルダ１０は、容器２４の上端部のみならず、複数の保持爪１３の間に露出している、上端部よりも下方の側面を搭乗者に把持させ得る。この結果、カップホルダ１０は、搭乗者に容器２４を容易に把持させ得る。
【００３１】
また、本実施形態のカップホルダ１０では、台座１２の第２の位置への変位に対して、連動機構１４により、複数の保持爪１３が座面ｓｆより第１の方向に突出するように第１の方向に変位する。このような構成により、カップホルダ１０は、第１の位置および第２の位置の間隔を短くしながらも、第２の位置における座面ｓｆから保持爪１３の第１の方向側の端面ｅｆまでの間隔を長くさせ得る。したがって、カップホルダ１０は、座面ｓｆと第１の方向に変位した保持爪１３により容器２４を安定的に保持しながら、台座１２に載置する容器２４の変位量を短縮させ得る。この結果、カップホルダ１０は、容器２４を安定的に保持しながらも容器２４の第１の方向に沿った露出面が広がるので、搭乗者に容器２４をより容易に把持させ得る。
【００３２】
また、本実施形態のカップホルダ１０では、台座１２を第１の位置に変位させ得る。このような構成により、図１に示すように、カップホルダ１０は、第１の位置において座面ｓｆを基台１１の上面ｔｆに近付け得る。したがって、カップホルダ１０は、カップホルダ１０の未使用時に座面ｓｆと基台１１の上面ｔｆとの段差を低減させることにより、美観を向上させ得、ごみを溜まりにくくし得る。
【００３３】
また、本実施形態のカップホルダ１０は、台座１２を第１の方向の反対方向に押圧する力が第１の閾値以下である場合、台座１２を第１の位置に位置させる。したがって、カップホルダ１０は、台座１２に何も載置されない場合、搭乗者による操作を要すること無く、台座１２を自動的に第１の位置に復帰させ得る。また、カップホルダ１０は、台座１２に空の容器２４より軽い埃などが単に付着した場合でも、台座１２を第１の位置に留め得るので、カップホルダ１０の未使用時に美観を維持し得る。
【００３４】
また、本実施形態のカップホルダ１０は、台座１２を第１の方向の反対方向に押圧する力が第２の閾値を超える場合、台座１２を第２の位置に位置させる。したがって、カップホルダ１０は、台座１２に飲料を収容した容器２４が載置される場合、搭乗者による操作を要すること無く、台座１２を自動的に第２の位置に変位させ得る。また、カップホルダ１０は、台座１２に載置された容器２４が空になった場合でも、台座１２を第２の位置に留め得る。
【００３５】
また、本実施形態のカップホルダ１０では、台座１２が第１の位置にある時、座面ｓｆが基台１１の上面ｔｆと同一面上に存在する。したがって、カップホルダ１０は、台座１２が第１の位置にある時に座面ｓｆと基台１１の上面ｔｆとの段差が無く、カップホルダ１０の美観をさらに向上させ得る。
【００３６】
また、本実施形態のカップホルダ１０では、台座１２が第１の位置にある時、保持爪１３の第１の方向側の端面ｅｆは座面ｓｆと同一面上に存在する。したがって、カップホルダ１０は、台座１２が第１の位置にある時、カップホルダ１０の美観をいっそう向上させ得る。
【００３７】
また、本実施形態のカップホルダ１０は、弾性体１５を備えている。したがって、カップホルダ１０は、台座１２から容器２４を取出した後、台座１２をより早く第１の位置に復帰させ得る。
【００３８】
また、本実施形態のカップホルダ１０は、ダンパ１６を備えている。したがって、カップホルダ１０は、飲料入りの重い容器２４を台座１２に載置した場合でも、台座１２を低速で第２の位置に変位させ得る。
【００３９】
本発明は、その精神又はその本質的な特徴から離れることなく、上述した実施形態以外の他の所定の形態で実現できることは当業者にとって明白である。したがって、先の記述は例示的なものであり、これに限定されるものではない。発明の範囲は、先の記述によってではなく、付加した請求項によって定義される。あらゆる変更のうちその均等の範囲内にあるいくつかの変更は、その中に包含されるものとする。
【００４０】
例えば、本実施形態において、カップホルダ１０は、弾性体１５を有するが、有さなくてもよい。弾性体１５を有さない構成においては、台座１２を第１の方向の反対方向に押圧する力が第１の閾値以下である場合に、台座１２が第１の位置に位置するように、台座１２および複数の保持爪１３の質量を定めればよい。また、弾性体１５を有さない構成においては、台座１２を第１の方向に押圧する力が第２の閾値を超える場合に、台座１２が第２の位置に位置するように、台座１２および複数の保持爪１３の質量を定めればよい。
【符号の説明】
【００４１】
１０  カップホルダ
１１  基台
１２  台座
１３  保持爪
１４  連動機構
１５  弾性体
１６  ダンパ
１７  座部
１８  軸部
１９  延設部
２０  台座ラック
２１  爪ラック
２２  ピニオン
２３  連結筒
２４  容器
ｃ  座面の中心
ｅｆ  端面
ｌｓ  保持爪の中心を結ぶ線分
ｐｇ  保持爪の中心を頂点とする多角形
ｓｆ  座面
ｔｆ  上面
【図１】
2019018640.tif 000003
【図２】
2019018640.tif 000004
【図３】
2019018640.tif 000005
【図４】
2019018640.tif 000006
【図５】
2019018640.tif 000007
【図６】
2019018640.tif 000008
【図７】
2019018640.tif 000009
【図８】
2019018640.tif 000010